(57)【要約】【課題】バイパス通風経路内に配置した湿度センサが長期にわたり高い応答性を維持して室内の湿度を精度よく検知できる加湿装置を供給することを目的とする。【解決手段】加湿空気を発生させる加湿手段と、本体ケースに形成された吸込口から吹出口に至る経路で構成された通風経路と、前記吸込口から吸い込まれた室内空気を前記加湿手段に通過させ前記吹出口より加湿空気として吹き出す送風手段と、室内の湿度を検知する湿度センサと、バイパス吸込口から前記通風経路に連通するバイパス通風経路を有し、前記バイパス通風経路に前記湿度センサを配置した加湿装置において、湿度センサの湿度検知面をバイパス吸込口の開口部に対して略垂直に配置した。また、バイパス吸込口の開口部を丸孔にした。【選択図】図４
2008267759.tif 000002
【特許請求の範囲】
【請求項１】
加湿空気を発生させる加湿手段と、本体ケースに形成された吸込口から吹出口に至る経路で構成された通風経路と、前記吸込口から吸い込まれた室内空気を前記加湿手段に通過させ前記吹出口より加湿空気として吹き出す送風手段と、室内の湿度を検知する湿度センサと、バイパス吸込口から前記通風経路に連通するバイパス通風経路を有し、前記バイパス通風経路に前記湿度センサを配置した加湿装置において、前記湿度センサの湿度検知面を前記バイパス吸込口の開口部に対して略垂直に配置したことを特徴とする加湿装置。
【請求項２】
前記バイパス吸込口の開口部を丸孔としたことを特徴とする請求項１記載の加湿装置。
【発明の詳細な説明】
【技術分野】
【０００１】
本発明は、室内の乾燥を防止するための加湿装置に係わり、特に、湿度センサの取り付け構造に関するものである。
【背景技術】
【０００２】
従来の加湿装置では、湿度センサにより室内の湿度を検知し予め設定した設定湿度との差によって加湿量を制御するものが一般的である。例えば、送風手段により吸込口から吸い込まれた室内空気を気化フィルターに通過させて加湿空気を発生させる気化式加湿装置では、吸込口付近に配置した湿度センサの検知湿度が設定湿度に到達すると、送風手段を最小送風量で運転させるか、または送風手段を停止させることで加湿量制御を行っていた。
【０００３】
湿度センサは、室内の湿度を正確に検知するため送風手段により吸い込まれた室内空気が通過する通風経路内に配置される場合と、通風経路以外の場所に配置される場合があるが、いずれの配置においても正確な湿度検知ができず湿度検知の応答性が悪いという問題があった。そこで、通風経路とは別にバイパス通風経路を設け、このバイパス通風経路に湿度センサを配置して湿度検知の精度を高め応答性の良い加湿量制御を行っている加湿装置がある。（特許文献１）
【０００４】
また、加湿装置の湿度センサ１２は、図５に示すように略直方体の形状からなり、湿度検知を行う湿度検知面１２Ａは微細な孔１２Ｂを有し、この孔１２Ｂから空気を導入して湿度検知を行っている。そして、図６に示すように湿度センサ１２を加湿装置に配置する場合には、湿度検知の精度や応答性を高めるため、室内空気が湿度検知面１２Ａに直接当たるよう湿度検知面１２Ａを吸込口４と対向する配置としている。（特許文献２）
【特許文献１】特開２００２−２９５８７２号公報
【特許文献２】特開２０００−２８１６５号公報
【発明の開示】
【発明が解決しようとする課題】
【０００５】
しかしながら、湿度センサの湿度検知面をパイパス吸込口と対向する配置とした場合、バイパス通風経路には空気の流れが発生しているため、吸い込まれた室内空気に含まれる塵等が湿度検知面に直接当たり付着し易くなる。したがって、長時間使用を続けると塵等が湿度検知面に堆積し湿度検知面の孔を塞いでしまうため、応答性が悪くなり室内の湿度を精度よく検知できなくなるという問題があった。
【０００６】
本発明は上記課題を解決するためのもので、バイパス通風経路内に湿度センサを配置した加湿装置において、室内空気に含まれる塵等が湿度センサの湿度検知面に付着するのを抑え、長期にわたり高い応答性を維持して室内の湿度を精度よく検知できる加湿装置を提供することを目的とする。
【課題を解決するための手段】
【０００７】
本発明は、加湿空気を発生させる加湿手段と、本体ケースに形成された吸込口から吹出口に至る経路で構成された通風経路と、前記吸込口から吸い込まれた室内空気を前記加湿手段に通過させ前記吹出口より加湿空気として吹き出す送風手段と、室内の湿度を検知する湿度センサと、バイパス吸込口から前記通風経路に連通するバイパス通風経路を有し、前記バイパス通風経路に前記湿度センサを配置した加湿装置において、前記湿度センサの湿度検知面を前記バイパス吸込口の開口部に対して略垂直に配置したことを特徴とする加湿装置に係わるものである。
【０００８】
また、前記バイパス吸込口の開口部を丸孔としたことを特徴とする請求項１記載の加湿装置に係わるものである。
【発明の効果】
【０００９】
上述の構成により、バイパス通風経路内に配置した湿度センサが長期にわたり高い応答性を維持して室内の湿度を精度よく検知できる加湿器装置を供給できる。
【発明を実施するための最良の形態】
【００１０】
好適と考える本発明の実施形態を、本発明の作用を示して簡単に説明する。
【００１１】
本発明は、バイパス通風経路内に湿度センサを配置した加湿装置において、湿度センサの湿度検知面をバイパス吸込口の開口部に対して略垂直に配置したものである。また、バイパス吸込口の開口部を丸孔にしたものである。
【００１２】
つまり、湿度センサの湿度検知面にバイパス吸込口から吸い込まれた空気が直接当たることがなくなるため、室内空気に含まれる塵等は湿度検知面に付着し難くなり、長時間使用しても湿度検知面に塵等が堆積しなくなる。また、空気中の大きな塵等はバイパス吸込口の開口部の丸孔で捕獲されるので湿度検知面に堆積することはない。したがって、湿度センサは、長期にわたり高い応答性を維持して室内の湿度を精度よく検知できる。
【実施例】
【００１３】
以下本発明の一実施例を図面により説明する。
【００１４】
図１より、１は加湿装置の本体ケース、２は本体ケース１の上部に位置し加湿装置の運転を制御するための操作部で、この操作部２と隣接する上部に本体ケース１内で加湿された加湿空気を室内に排出するための吹出口３を設けている。また、４は室内空気を本体ケース１内部に吸い込むための吸込口である。５は開口部５Ａを丸孔５Ｂから構成したバイパス吸込口である。
【００１５】
図２は加湿装置の縦断面構成図であり、６は図示しない給水タンクから供給された水を一定水量貯える水槽部、７は水槽部６内の水を吸水して湿潤する加湿手段としての気化フィルターである。８は送風手段としての送風機であり、９は吸込口４と気化フィルター７の間に配置され、送風機８によって吸込口４から吸い込まれた空気を加熱する温風用ヒータである。つまり、吸込口４、温風用ヒータ９、気化フィルター７、送風機８、吹出口３から成る通風経路１０を本体ケース１内に形成している。
【００１６】
１１は加湿装置を制御するための電子部品と湿度センサ１２を配置したプリント配線基板で、図３に示すように端部に形成された凸形状部１１Ａに湿度センサ１２を配置している。１３はバイパス吸込口５から室内空気を吸い込み通風経路１０に連通するバイパス通風経路であり、湿度センサ１２を配置した凸形状部１１Ａを囲むように形成されている。そして、湿度センサ１２の湿度検知面１２Ａはバイパス吸込口５の開口部５Ａに対して略垂直になるように配置されている。つまり、湿度検知面１２Ａにバイパス吸込口５からの空気が直接当たらないようにしているのである。
【００１７】
次に、以上の構成における動作を説明する。加湿装置を運転する場合、先ず図示していない給水タンクに水を入れ、これを本体ケース１内に挿入し指定位置に設置する。これにより水槽部６には給水タンクから一定量の水が流れ出し一定水位の水が貯えられる。その結果、水槽部６に設置されている気化フィルター７は毛細管現象により水槽部６の水を吸い上げ湿潤する。
【００１８】
この状態で操作部２の運転スイッチを入れ、湿度設定スイッチで目標とする湿度を選択すると、送風機８が回転するため、室内空気は吸込口４から本体ケース１内に吸い込まれ、気化フィルター７を通過する際に加湿空気となり吹出口３から排出される。その後、湿度設定スイッチにより設定された設定湿度と湿度センサ１２が検知した検知湿度の差に応じて、温風用ヒータ９や送風機８の回転を制御して自動的に加湿運転が行なわれる。
【００１９】
一方、送風機８が回転することによりバイパス吸込口５から室内の空気が吸い込まれ、バイパス通風経路１３を経由して通風経路１０に導入される。図４は本発明の湿度センサ１２の配置におけるバイパス通風経路１３での空気の流れを示したものであり、湿度検知面１２Ａをバイパス吸込口５の開口部５Ａに対して略垂直に配置しているため湿度検知面１２Ａに空気が直接当たることはない。
【００２０】
つまり、空気中に含まれる塵等は湿度検知面１２Ａに付着し難くなり、長時間使用しても湿度検知面１２Ａに塵等が堆積しないのである。また、バイパス吸込口５の開口部５Ａを丸孔５Ｂにしているため、空気中の大きな塵等は確実にこの丸孔５Ｂで捕捉されるので、湿度検知面１２Ａにはいっそう堆積しないのである。したがって、バイパス通風経路１３に配置された湿度センサ１２は、長期にわたり高い応答性を維持して室内の湿度を精度よく検知できるのである。
【図面の簡単な説明】
【００２１】
【図１】本発明の実施例を示す傾視図である。
【図２】本発明の実施例を示す縦断面構成図である。
【図３】本発明の実施例のプリント配線基板を示す上面図である。
【図４】本発明の実施例の湿度センサの取り付け部における空気の流れを示した説明図である。
【図５】従来例と本発明の実施例の湿度センサの傾視図である。
【図６】従来例の湿度センサの取り付け部における空気の流れを示した説明図である。
【符号の説明】
【００２２】
１    本体ケース
３    吹出口
４    吸込口
５    バイパス吸込口
５Ａ  開口部
５Ｂ  丸孔
７    気化フィルター（加湿手段）
８    送風機（送風手段）
１０  通風経路
１２  湿度センサ
１２Ａ湿度検知面
１３  バイパス通風経路
【図１】
2008267759.tif 000003
【図２】
2008267759.tif 000004
【図３】
2008267759.tif 000005
【図４】
2008267759.tif 000006
【図５】
2008267759.tif 000007
【図６】
2008267759.tif 000008